(57)【要約】【課題】異なる形状のポート間を接続する際に、信号の減衰を抑え、かつ取扱いが容易なコネクタ付きケーブルを提供する。【解決手段】複数の端子を有する第１のコネクタ１０と、第１のコネクタ１０の端子の数よりも少ない数の端子を有する複数の第２のコネクタ２１，２２，２３，２４と、第１のコネクタ１０が一端に接続され、複数の第２のコネクタ２１，２２，２３，２４の内の一つが他端に接続された複数のケーブル３１，３２，３３，３４とを備える。複数のケーブル３１，３２，３３，３４は、長さが互いに異なる。【選択図】図１
2016126930.tif 000002
【特許請求の範囲】
【請求項１】
複数の端子を有する第１のコネクタと、
前記第１のコネクタの端子の数よりも少ない数の端子を有する複数の第２のコネクタと、
前記第１のコネクタが一端に取り付けられ、前記複数の第２のコネクタの内の一つが他端に取り付けられた複数のケーブルと、を備え、
前記複数のケーブルは、長さが互いに異なる、
コネクタ付きケーブル。
【請求項２】
前記ケーブルにより伝送される信号の減衰を補償する信号補償回路を、前記第２のコネクタに備えた、
請求項１に記載のコネクタ付きケーブル。
【請求項３】
前記ケーブルにより伝送される信号の減衰を補償する信号補償回路を、前記第１のコネクタに備えた、
請求項１に記載のコネクタ付きケーブル。
【請求項４】
前記複数のケーブルは、信号線の太さが異なり、長いケーブルの信号線が、それよりも短いケーブルの信号線よりも太い、
請求項１に記載のコネクタ付きケーブル。
【発明の詳細な説明】
【技術分野】
【０００１】
本発明は、信号伝送用のコネクタ付きケーブルに関する。
【背景技術】
【０００２】
一般に、電気機器間を接続して、その電気信号を伝送するには、両端にコネクタを有するコネクタ付きケーブルが使用される。このようなコネクタ付きケーブルには、コネクタにＩＣ素子等からなる信号補正回路を設けて、信号の振幅減衰やタイミングのずれ等を補正するものがある（例えば、特許文献１参照）。
【先行技術文献】
【特許文献】
【０００３】
【特許文献１】特開２０１３−１２２８２５号公報
【発明の概要】
【発明が解決しようとする課題】
【０００４】
例えば、４ｃｈのＱＳＦＰポートと１ｃｈのＳＦＰポートとの間、あるいは、１２ｃｈのＣＦＰポートと４ｃｈのＱＳＦＰポートとの間等のように、異なる形状のポート間を接続するコネクタ付きケーブルは、ブレークアウトケーブル又はスプリッターケーブルと呼ばれている。このようなコネクタ付きケーブルは、一端に共通の第１のコネクタが取り付けられ、他端に第１のコネクタよりも端子数の少ない第２のコネクタがそれぞれ取り付けられた複数のケーブルを有し、各ケーブルの長さは、従来、全て同じであった。
【０００５】
そのため、従来、このようなコネクタ付きケーブルは、接続する電気機器の最も離れたポートの位置に合わせて、ケーブルの長さを選択する必要があった。従って、距離の近いポートに対しては、ケーブルの長さが不必要に長くなり、信号の減衰が発生し、また余分なケーブルの取扱いが難しくなるという問題があった。
【０００６】
本発明は、異なる形状のポート間を接続する際に、信号の減衰を抑え、かつ取扱いが容易なコネクタ付きケーブルを提供することを目的とする。
【課題を解決するための手段】
【０００７】
本発明は、上記課題を解決することを目的として、複数の端子を有する第１のコネクタと、第１のコネクタの端子の数よりも少ない数の端子を有する複数の第２のコネクタと、第１のコネクタが一端に取り付けられ、複数の第２のコネクタの内の一つが他端に取り付けられた複数のケーブルと、を備え、複数のケーブルは、長さが互いに異なる、コネクタ付きケーブルを提供する。
【発明の効果】
【０００８】
本発明によれば、異なる形状のポート間を接続する際に、信号の減衰を抑え、かつ取扱いが容易なコネクタ付きケーブルを提供することが可能となる。
【図面の簡単な説明】
【０００９】
【図１】本発明の第１の実施の形態に係るコネクタ付きケーブルを示す図である。
【図２】本発明のコネクタ付きケーブルの使用例を示す図である。
【図３】本発明の第２の実施の形態に係るコネクタ付きケーブルを示す図である。
【図４】第２のコネクタの分解斜視図である。
【図５】本発明の第３の実施の形態に係るコネクタ付きケーブルを示す図である。
【図６】第１のコネクタの分解斜視図である。
【図７】本発明の第４の実施の形態に係るコネクタ付きケーブルを示す図である。
【図８】図８（ａ）は図７のＡ−Ａ線断面図、図８（ｂ）は図７のＢ−Ｂ線断面図である。
【発明を実施するための形態】
【００１０】
［第１の実施の形態］
図１は、本発明の第１の実施の形態に係るコネクタ付きケーブルを示す図である。コネクタ付きケーブル１は、複数の端子を有する第１のコネクタ１０と、第１のコネクタ１０の端子の数よりも少ない数の端子を有する複数の第２のコネクタ２１，２２，２３，２４と、第１のコネクタ１０が一端に取り付けられ、複数の第２のコネクタ２１，２２，２３，２４の内の一つが他端に取り付けられた複数のケーブル３１，３２，３３，３４とを備える。
【００１１】
一例として、第１のコネクタ１０を、４ｃｈのＱＳＦＰコネクタとし、第２のコネクタ２１，２２，２３，２４を、１ｃｈのＳＦＰコネクタとする。その場合、各ケーブル３１，３２，３３，３４の内部には、２本の信号線がそれぞれ設けられている。
【００１２】
各ケーブル３１，３２，３３，３４は、長さが互いに異なっており、各ケーブル３１，３２，３３，３４の長さは、第２のコネクタ２１，２２，２３，２４側に接続する電気機器のポートの位置に応じて、適宜決定される。あるいは、予め接続する複数の電気機器のポート間の距離を想定して、各ケーブル３１，３２，３３，３４の長さの差を、例えば、数十ｃｍ毎、あるいは数ｍ毎に、事前に設定しておいてもよい。
【００１３】
図２は、本発明のコネクタ付きケーブルの使用例を示す図である。本例は、データセンタのラック内において、本発明のコネクタ付きケーブル１を用いて、スイッチ４０と複数のサーバー４１，４２，４３，４４とを接続する場合を示している。コネクタ付きケーブル１の第１のコネクタ１０を、スイッチ４０の第１のポート５０に接続し、第２のコネクタ２１，２２，２３，２４を、各サーバー４１，４２，４３，４４の第２のポート５１，５２，５３，５４にそれぞれ接続する。
【００１４】
各ケーブル３１，３２，３３，３４の長さを、第２のポート５１，５３，５２，５４の位置に応じて決定し、あるいは、第２のポート５１，５２，５３，５４間の距離に応じて、事前に用意したケーブルの長さの差が異なる複数のコネクタ付きケーブル１の中から、適切なケーブルの長さの差を有するものを選択することにより、適切な長さのケーブル３１，３２，３３，３４を用いて、第１のポート５０と第２のポート５１，５３，５２，５４とを接続することができる。
【００１５】
（第１の実施の形態の作用及び効果）
以上説明した第１の実施の形態によれば、以下のような作用及び効果が得られる。
【００１６】
（１）適切な長さのケーブル３１，３２，３３，３４を用いて、第１のポート５０と第２のポート５１，５２，５３，５４とが接続され、不必要に長いケーブルがなくなるので、信号の減衰を抑えることができる。
【００１７】
（２）各ケーブル３１，３２，３３，３４に、余分な長さの余りが発生せず、コネクタ付きケーブル１全体として取扱いが容易となる。
【００１８】
［第２の実施の形態］
図３は、本発明の第２の実施の形態に係るコネクタ付きケーブルを示す図である。本実施の形態は、破線で示す信号補償回路２８を、第２のコネクタ２１，２２，２３，２４に備えたものである。その他の構成は、図１に示した第１の実施の形態と同様である。
【００１９】
図４は、第２のコネクタの分解斜視図である。なお、図４は、第２のコネクタ２４を示しているが、第２のコネクタ２１，２２，２３も、第２のコネクタ２４と同様の構成である。
【００２０】
筐体ベース２５の上面には、筐体カバー２６が取り付けられている。筐体ベース２５の内部には、パドルカード２７が設けられている。パドルカード２７は、多層構造の回路基板であって、その表面及び内部にパターンが形成されている。パドルカード２７には、信号補償回路２８が搭載されている。本実施の形態では、信号補償回路２８は、ＩＣチップとして構成されている。パドルカード２７の一端には、ケーブル３４の信号線２が接続され、他端には複数の端子２９が設けられている。信号線２は、パドルカード２７の表面のパターンを通じて、信号補償回路２８に接続されており、信号補償回路２８は、パドルカード２７の内部のパターンを通じて、端子２９に接続されている。
【００２１】
本実施の形態では、各ケーブル３１，３２，３３，３４の長さが互いに異なるため、各ケーブル３１，３２，３３，３４により伝送される信号の減衰量が異なる。そこで、第２のコネクタ２１，２２，２３，２４に設けられた各信号補償回路２８は、各ケーブル３１，３２，３３，３４により伝送される信号の減衰をそれぞれ補償して、各ケーブル３１，３２，３３，３４の長さが同じである場合と同様に、各ケーブル３１，３２，３３，３４により伝送される信号の振幅を同じにする。
【００２２】
なお、ケーブル３１，３２，３３，３４の内、信号の減衰が問題にならない程度に長さが短いものについては、信号補償回路２８を省略することができる。
【００２３】
（第２の実施の形態の作用及び効果）
以上説明した第２の実施の形態によれば、第１の実施の形態について説明した（１）及び（２）の作用及び効果と同様の作用及び効果が得られる。
【００２４】
さらに、第２のコネクタ２１，２２，２３，２４に設けた各信号補償回路２８により、各ケーブル３１，３２，３３，３４により伝送される信号の振幅を同じにすることができる。そして、各信号補償回路２８を用いて、各ケーブル３１，３２，３３，３４により伝送される信号の減衰を補償することにより、伝送距離が長くても細径のケーブルを使用することができる。
【００２５】
［第３の実施の形態］
図５は、本発明の第３の実施の形態に係るコネクタ付きケーブルを示す図である。本実施の形態は、破線で示す信号補償回路１４を、第１のコネクタ１０に備えたものである。その他の構成は、図１に示した第１の実施の形態と同様である。
【００２６】
図６は、第１のコネクタの分解斜視図である。筐体ベース１１の上面には、筐体カバー１２が取り付けられている。筐体ベース１１の内部には、パドルカード１３が設けられている。パドルカード１３は、多層構造の回路基板であって、その表面及び内部にパターンが形成されている。パドルカード１３には、信号補償回路１４が搭載されている。本実施の形態では、信号補償回路１４は、ＩＣチップとして構成されている。パドルカード１３の一端には、コネクタ付きケーブル１の各ケーブル３１，３２，３３，３４の信号線２が接続され、他端には複数の端子１５が設けられている。信号線２は、パドルカード１３の表面のパターンを通じて、信号補償回路１４に接続されており、信号補償回路１４は、パドルカード１３の内部のパターンを通じて、端子１５に接続されている。
【００２７】
本実施の形態では、各ケーブル３１，３２，３３，３４の長さが互いに異なるため、各ケーブル３１，３２，３３，３４により伝送される信号の減衰量が異なる。そこで、第１のコネクタ１０に設けられた信号補償回路１４は、各ケーブル３１，３２，３３，３４により伝送される信号の減衰をそれぞれ補償して、各ケーブル３１，３２，３３，３４の長さが同じである場合と同様に、各ケーブル３１，３２，３３，３４により伝送される信号の振幅を同じにする。
【００２８】
なお、ケーブル３１，３２，３３，３４の内、信号の減衰が問題にならない程度に長さが短いものについては、信号補償回路１４による補償を省略することができる。
【００２９】
（第３の実施の形態の作用及び効果）
以上説明した第３の実施の形態によれば、第１の実施の形態について説明した（１）及び（２）の作用及び効果と同様の作用及び効果が得られる。
【００３０】
さらに、第１のコネクタ１０に設けた信号補償回路１４により、各ケーブル３１，３２，３３，３４により伝送される信号の振幅を同じにすることができる。このとき、信号補償回路１４を第１のコネクタ１０に設けることにより、信号補償回路１４が一つで済むので、第２の実施の形態に比べて、部品コストが削減される。そして、信号補償回路１４を用いて、各ケーブル３１，３２，３３，３４により伝送される信号の減衰を補償することにより、伝送距離が長くても細径のケーブルを使用することができる。
【００３１】
［第４の実施の形態］
図７は、本発明の第４の実施の形態に係るコネクタ付きケーブルを示す図である。本実施の形態は、各ケーブル３１，３２，３３，３４の信号線の太さを異ならせたものである。その他の構成は、図１に示した第１の実施の形態と同様である。
【００３２】
図８（ａ）は図７のＡ−Ａ線断面図、図８（ｂ）は図７のＢ−Ｂ線断面図である。なお、図８（ａ）はケーブル３１の断面を示し、図８（ｂ）はケーブル３４の断面を示しているが、ケーブル３２，３３の断面も同様の構成である。
【００３３】
図８（ａ），（ｂ）に示すように、ケーブル３１，３４は、信号線２を絶縁体３で被覆したものを２本平行に並べ、それらとドレイン線４との周囲に金属樹脂テープ５を巻き付け、全体をシース６により被覆して形成されている。信号線２は、銅等の金属線である。金属樹脂テープ５は、ポリエステルテープの片面に銅箔等の金属箔が取り付けられており、金属箔を内側にして、絶縁体３の周囲に縦添え巻き（シガーレット巻き）されている。なお、一対の信号線を一つの絶縁体で一括して被覆した構造であってもよい。
【００３４】
本実施の形態において、各ケーブル３１，３２，３３，３４は、導線信号線２の太さが異なり、図８（ａ），（ｂ）に示すように、長いケーブル３４の信号線２が、短いケーブル３１の信号線２よりも太くなっている。そのため、ケーブル３４は、ケーブル３１よりも、単位長さ当たりの信号の減衰率が小さく、ケーブルの長さがケーブル３１より長くても、信号の減衰量はケーブル３１と同程度となっている。ケーブル３２，３３についても、同様である。
【００３５】
（第４の実施の形態の作用及び効果）
以上説明した第４の実施の形態によれば、第１の実施の形態について説明した（１）及び（２）の作用及び効果と同様の作用及び効果が得られる。
【００３６】
さらに、ケーブル３１，３２，３３，３４は、信号線２の太さが異なり、長いケーブルの信号線２が、それよりも短いケーブルの信号線２よりも太いので、信号補償回路を用いることなく、各ケーブル３１，３２，３３，３４により伝送される信号の振幅を同じにすることができる。
【００３７】
なお、以上説明した実施の形態では、一例として、コネクタ付きケーブル１により、４ｃｈのＱＳＦＰポートと１ｃｈのＳＦＰポートとの間を接続していたが、本発明はこれに限らず、例えば、１２ｃｈのＣＦＰポートと４ｃｈのＱＳＦＰポートとの間、１２ｃｈのＣＦＰポートと４ｃｈのＱＳＰポートとの間、あるいは、１２ｃｈのＣＦＰポートと１ｃｈのＳＦＰポートとの間等も接続することができる。
【００３８】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００３９】
［１］複数の端子（１５）を有する第１のコネクタ（１０）と、第１のコネクタ（１０）の端子（１５）の数よりも少ない数の端子（２９）を有する複数の第２のコネクタ（２１，２２，２３，２４）と、第１のコネクタ（１０）が一端に取り付けられ、複数の第２のコネクタ（２１，２２，２３，２４）の内の一つが他端に取り付けられた複数のケーブル（３１，３２，３３，３４）と、を備え、複数のケーブル（３１，３２，３３，３４）は、長さが互いに異なる、コネクタ付きケーブル。
【００４０】
［２］ケーブル（３１，３２，３３，３４）により伝送される信号の減衰を補償する信号補償回路（２８）を、第２のコネクタ（２１，２２，２３，２４）に備えた、コネクタ付きケーブル。
【００４１】
［３］ケーブル（３１，３２，３３，３４）により伝送される信号の減衰を補償する信号補償回路（１４）を、第１のコネクタ（１０）に備えた、コネクタ付きケーブル。
【００４２】
［４］複数のケーブル（３１，３２，３３，３４）は、信号線（２）の太さが異なり、長いケーブルの信号線（２）が、それよりも短いケーブルの信号線（２）よりも太い、コネクタ付きケーブル。
【００４３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４４】
本発明は、その趣旨を逸脱しない範囲で適宜変形して実施することが可能である。例えば、以上説明した実施の形態では、第２のコネクタ及びケーブルがそれぞれ４つずつ設けられていたが、本発明はこれに限らず、第２のコネクタ及びケーブルの数は、接続するポートの数に応じて適宜変更することができる。
【符号の説明】
【００４５】
１…コネクタ付きケーブル
２…信号線
３…絶縁体
４…ドレイン線
５…金属樹脂テープ
６…シース
１０…第１のコネクタ
１１，２５…筐体ベース
１２，２６…筐体カバー
１３，２７…パドルカード
１４，２８…信号補償回路
１５，２９…端子
２１，２２，２３，２４…第２のコネクタ
３１，３２，３３，３４…ケーブル
４０…スイッチ
４１，４２，４３，４４…サーバー
５０…第１のポート
５１，５２，５３，５４…第２のポート
【図１】
2016126930.tif 000003
【図２】
2016126930.tif 000004
【図３】
2016126930.tif 000005
【図４】
2016126930.tif 000006
【図５】
2016126930.tif 000007
【図６】
2016126930.tif 000008
【図７】
2016126930.tif 000009
【図８】
2016126930.tif 000010